(57)【要約】      （修正有）【課題】風が強い状況下においても火袋内への風の進入を確実に防止し、火袋内のろうそくの火が消えないようにできる提灯用天蓋とこれを装着した提灯を提供する。【解決手段】提灯５０の上口輪５２に着脱して用いる提灯用天蓋１０であって、天板２０と、天板の外周縁に沿って立設された側壁３０と、天板の平面中心位置から偏心した位置に穿設された貫通孔２２と、を有し、天板と側壁とにより形成される空間内に提灯の上口輪を嵌着する。提灯の上口輪開口部のほとんどが、天板２０により覆われ、また、ろうそく６０の直上位置からずれた位置に貫通孔が配設されているため、火袋５６の内部空間への空気の供給をしつつも、貫通孔から侵入した雨や雪がろうそくを直撃するおそれがない。【選択図】図６
0003185799.tif 000002
【実用新案登録請求の範囲】
【請求項１】
提灯の上口輪に着脱して用いる提灯用天蓋であって、
天板と、
該天板の外周縁に沿って立設された側壁と、
前記天板の平面中心位置から偏心した位置に穿設された貫通孔と、を有し、
前記天板と前記側壁とにより形成される空間内に前記提灯の上口輪が嵌着可能であることを特徴とする提灯用天蓋。
【請求項２】
前記天板の平面視形状が多角形形状に形成されていることを特徴とする請求項１記載の提灯用天蓋。
【請求項３】
前記天板に対する前記側壁の立設高さ寸法は、前記上口輪の高さ寸法よりも高く形成されていることを特徴とする請求項１または２記載の提灯用天蓋。
【請求項４】
前記側壁には、前記提燈の上口輪に配設されている吊り具との干渉を防ぐための切欠部が形成されていることを特徴とする請求項１〜３のうちのいずれか一項に記載の提灯用天蓋。
【請求項５】
前記側壁には、締付具が配設されていることを特徴とする請求項１〜４のうちのいずれか一項に記載の提灯用天蓋。
【請求項６】
請求項１〜５のうちのいずれか一項に記載の提灯用天蓋が上口輪に着脱可能に装着されていることを特徴とする提灯。
【考案の詳細な説明】
【技術分野】
【０００１】
本考案は提灯用天蓋とこれを装着した提灯に関する。
【背景技術】
【０００２】
お盆の墓参り等において用いられる提灯において、光源であるろうそくの火を消えにくくするための構成を備えたものの一例として、特許文献１に開示されているような提灯が知られている。
【先行技術文献】
【特許文献】
【０００３】
【特許文献１】実全昭５９−４９３０４号公報
【考案の概要】
【考案が解決しようとする課題】
【０００４】
特許文献１に開示されている提灯は、上口輪の上側部分に上口輪の開口部分より大きな覆いを配設することで、上口輪の開口部分からの雨の進入を防ぐことができ、火袋内のろうそくの火が消えにくくすることを可能にしたものである。しかしながら、特許文献１に開示されている構成の提灯においては、強風時においては上口輪と覆いとの間にある隙間部分から火袋の内部への風が進入してしまい、火袋に入り込んだ風によりろうそくの火が消えてしまうといった課題については十分な対応ができていない状況にあり、改善が望まれていた。
【０００５】
そこで本考案は、風が強い状況下においても火袋内への風の進入を確実に防止することにより、光源である火袋内のろうそくの火が消えないようにするための提灯用天蓋とこれを装着した提灯の提供を目的としている。
【課題を解決するための手段】
【０００６】
上記課題を解決するために本考案者は鋭意研究を行った結果、以下の構成に想到した。
すなわち、提灯の上口輪に着脱して用いる提灯用天蓋であって、天板と、該天板の外周縁に沿って立設された側壁と、前記天板の平面中心位置から偏心した位置に穿設された貫通孔と、を有し、前記天板と前記側壁とにより形成される空間内に前記提灯の上口輪が嵌着可能であることを特徴とする提灯用天蓋である。
これにより、火袋の内部空間への雨や風の進入を確実に防止し、雨天時や強風時であってもろうそくの火を消えにくくすることができる。また、貫通孔が天板の平面中心から偏心した位置に配設されているから、火袋の内部空間における空気の対流を乱すことができ、火袋の内部空間における空気の対流速度を低下させ、火袋の内部空間における空気の対流によってろうそくの火が消えてしまうことを防止することができる。
【０００７】
また、前記天板の平面視形状が、多角形形状に形成されていることが好ましい。これにより、工具等を用いることなく本物品を提灯の上口輪へ容易に着脱することができる。
【０００８】
また、前記天板に対する前記側壁の立設高さ寸法は、前記上口輪の高さ寸法よりも高く形成されていることが好ましい。
これによれば、上口輪の上端と天板との間に隙間部分が形成され、この隙間部分に火袋の内部空間における水平面内方向の空気の対流が進入し、側壁の内表面における角部に対流空気が衝突することにより対流速度を低下させることができる。よって火袋の内部空間における水平面内の空気の対流速度を低下させ、ろうそくの火をさらに消えにくくすることができる。
【０００９】
また、前記側壁には、前記提燈の上口輪に配設されている吊り具との干渉を防ぐための切欠部が形成されていることが好ましい。これにより、既存の提灯へ本考案品を装着したとしても、今まで通りの使い方を継続させることができる。
【００１０】
また、前記側壁には、締付具が配設されていることが好ましい。これにより、提灯用上口輪の大きさにばらつきがあっても、提灯用天蓋を確実に上口輪に装着させることができる。また、上口輪に一旦装着した提灯用天蓋の脱落をより確実に防止することも可能である。
【００１１】
また、上記のうちのいずれかに記載の提灯用天蓋が上口輪に着脱可能に装着されていることを特徴とする提灯の考案もある。これにより、これにより、火袋の内部空間への風の進入を防止し、提灯のろうそくの火を消えにくくすることができる。また、貫通孔の配設位置が天板の平面中心位置から偏心しているから、火袋の内部空間における空気の対流を乱すことができる。よって、火袋の内部空間における空気の対流速度が低下し、提灯のろうそくの火を消えにくくすることができる。
【考案の効果】
【００１２】
本考案にかかる構成を採用することにより、風が強い日であっても火袋の内部空間への風の進入を防止することができ、光源であるろうそくの火が消えないようにするための提灯用天蓋とこれを備える提灯を提供することができる。また、火袋の内部空間における鉛直方向の空気の対流を乱すことにより、火袋の内部空間における空気の対流速度を低下させることも可能になるから、より一層、提灯のろうそくの火を消えにくくすることができる。
【図面の簡単な説明】
【００１３】
【図１】第１実施形態における提灯用天蓋の平面図である。
【図２】第１実施形態における提灯用天蓋の正面図である。
【図３】第１実施形態における提灯用天蓋の底面図である。
【図４】提灯の正面図である。
【図５】提灯の平面図である。
【図６】図４に示す提灯に第１実施形態における提灯用天蓋を装着した状態を示す平面図である。
【図７】図６内のＡ−Ａ線における断面図である。
【図８】第２実施形態における提灯用天蓋を装着した状態示す提灯の断面図である。
【図９】第３実施形態における提灯用天蓋を示す図である。
【図１０】第４実施形態における提灯用天蓋を示す図である。
【考案を実施するための最良の形態】
【００１４】
（第１実施形態）
以下、本考案における提灯用天蓋の実施形態について図面に基づいて具体的に説明する。
図１〜図３は本実施形態における提灯用天蓋の平面図、正面図、底面図である。本実施形態における提灯用天蓋１０の左側面図および右側面図は、正面図と等しくあらわれるため図示を省略した。図４は本考案品の装着対象となる提灯の正面図である。図５は本考案品の装着対象となる提灯の平面図である。図６は本実施御形態における提灯用天蓋を装着した提灯の一部透視平面図である。図７は図６内のＡ−Ａ線における断面図である。
【００１５】
図１〜図３に示すように本実施形態における提灯用天蓋１０は、天板２０と側壁３０とを有している。
本実施形態における提灯用天蓋１０の天板２０は、平面視形状が正八角形に形成されたものが用いられている。天板２０には天板２０の板厚方向に貫通するトラック形状の貫通孔２２が一つ穿設されている。貫通孔２２の平面形状は図１等に示すようなトラック形状に限定されるものではなく、丸孔や矩形孔等の他の形状に形成することも可能である。
貫通孔２２は、その平面中心位置が天板２０の平面中心位置から偏心した位置となるように配設されている。天板２０の平面中心位置と貫通孔２２の平面中心位置との偏心距離Ｌは特に限定されるものではないが、貫通孔２２の外周縁位置が提灯５０の上口輪５２の内周面位置よりも内側位置（天板２０の中心側位置）となるようにすることが好ましい。
【００１６】
提灯用天蓋１０の側壁３０は、天板２０の外周縁に沿って立設されており、側壁３０はいずれも天板２０の表面に対して直角に立設されている。天板２０に対する側壁３０の立設高さ寸法Ｈは提灯５０の上口輪５２の高さ寸法ｈよりも小さくなるように形成した（図７参照）。このような高さ寸法を有する側壁３０を採用することにより、上口輪５２に吊り具５２Ａが取り付けられている場合であっても、提灯５０の上口輪５２に提灯用天蓋１０を確実に嵌着させることができる。また、提灯用天蓋１０をコンパクトにすることができ、提灯５０に装着した際における重量増を抑えることができる。
【００１７】
このように貫通孔２２が穿設された天板２０と側壁３０とにより提灯用天蓋１０が形成されているが、天板２０の下面と側壁３０の内側面とにより形成される提灯用天蓋１０と上口輪５２とを嵌着させるための空間１２は、図６に示すように、提灯５０の上口輪５２に外接する寸法に形成されている。提灯用天蓋１０をこのような寸法に形成することで、天板２０と側壁３０とにより形成される空間１２に提灯５０の上口輪５２を嵌着させる際に使用者が工具などを用いることなく手作業によって行うことができる点で好都合である。
【００１８】
次に本実施形態にかかる提灯用天蓋１０を装着した提灯５０について説明する。
図６および図７に示すように、提灯５０の上口輪５２を提灯用天蓋１０の空間１２に嵌着（装着）させると、提灯５０の上口輪５２における開口部のほとんどが、提灯用天蓋１０の天板２０により覆われることになる。また、図６に示すように、提灯５０の火袋５６の内部空間において、下口輪５４の上面に立設されたろうそく６０の直上位置からずれた位置に貫通孔２２が配設されているため、火袋５６の内部空間への空気の供給をしつつも、貫通孔２２から火袋５６の内部空間に侵入した雨や雪がろうそく６０を直撃するおそれがなく、雨天時等の悪天候下の使用においてもろうそく６０の火が消えてしまう心配がなく好都合である。
【００１９】
また、火袋５６の内部空間においては、ろうそく６０が燃焼することにより、火袋５６の内部空間における空気の対流が生じるが、この対流は鉛直方向の対流がほとんどである。また、ろうそく６０が火袋５６の内部空間の平面中央位置に位置しているため、従来の提灯５０の火袋５６の内部空間における対流は、図４内の破線矢印に示すような、ろうそく６０を中心とした対称の対流となる。また、従来の提灯５０は、ろうそく６０の中心線の延長先（ろうそく６０の直上位置）において上口輪５２が大きく開口している構成となっているため、火袋５６の内部空間における鉛直方向の空気の対流もしくは燃焼した空気の排出（または排出入）が激しくなり、この対流によりろうそく６０の火が消えてしまうという不具合や、燃焼が激しくなってしまう（ろうそく６０が短時間で燃え尽きてしまう）といった不具合があった。
【００２０】
このような不具合に対して、図６、図７に示すように、従来の提灯５０に本考案にかかる提灯用天蓋１０を装着することにより、火袋５６の内部空間の鉛直方向において対流した空気の一部が貫通孔２２から排出されるようになる。これにより、火袋５６の内部空間の鉛直方向における空気の対流が乱されることになり、空気の対流速度を大幅に低下し、火袋５６の内部空間のろうそく６０の火が消えてしまうことを防ぐことができる。また、上口輪５２の開口面積が少なくなることに加え火袋５６の内部空間における鉛直方向の空気の対流速度が低減することにより、上口輪５２から火袋５６の内部空間に供給される外気の量を減少させることもできる。これによりろうそく６０の燃焼が穏やかになり、ろうそく６０の燃焼時間を長くすることができるといった効果も得られる。なお、提灯用天蓋１０を装着した提灯５０は、提灯５０の移動方向において貫通孔２２が後側位置になるようにして使用すると、貫通孔２２からの外気や雨等の進入をより好適に防止することができる。
【００２１】
（第２実施形態）
図８は、第２実施形態における提灯用天蓋を装着した状態示す提灯の断面図であり、断面位置は図６と同じ断面位置である。
本実施形態における提灯用天蓋１０は、図８に示すように、側壁３０の高さ寸法Ｈが上口輪５２の高さ寸法ｈよりも高く形成されていることが特徴点である。なお、第１実施形態における構成と同じ構成については第１実施形態で用いた符号と同じ符号を付すことでここでの詳細な説明を省略している。
【００２２】
このような提灯用天蓋１０およびこれを装着した提灯５０の構成を採用することにより、上口輪５２の上端縁と天板２０の下面との間に隙間７０を形成することができる。この隙間７０に火袋５６内の水平面内における対流が進入すると、側壁３０の内表面の角部分３２に対流した空気が衝突し、火袋５６の内部空間の水平面内における空気の対流を抑えた後に貫通孔２２から提灯５０の外部に空気を排出させることができる。これにより、貫通孔２２から提灯５０の内部（火袋５６の内部空間）への外気の進入量が削減され、さらにろうそく６０の火を消えにくくすることができる点において好都合である。
【００２３】
（第３実施形態）
本実施形態における提灯用天蓋１０は、図９に示すように、側壁３０に切欠部３４が形成されている構成が特徴点である。このような切欠部３４を側壁３０に形成することで、提灯５０へ提灯用天蓋１０を装着（嵌着）させる際において、上口輪５２に取り付けられた吊り具５２Ａと側壁３０との干渉を確実に防ぐことができる。なお、第１実施形態における構成と同じ構成については第１実施形態で用いた符号と同じ符号を付すことでここでの詳細な説明を省略している。
【００２４】
（第４実施形態）
本実施形態における提灯用天蓋１０は図１０に示すような形態であり、右側面図は左側面図と対称にあらわれるため図示を省略している。本実施形態における提灯用天蓋１０は、図１０に示すように、貫通孔２２の開口面積を大きくし、側壁３０に締付具８０が配設されている構成が特徴点である。また、提灯用天蓋１０と上口輪５２とを嵌着させるための空間１２が円柱形状に形成されている点において上記の実施形態と相違している。
図１０に示すように、本実施形態における貫通孔２２は天板２０の平面中心位置も開口部となるような大きさに形成されている。また、締付具８０は、側壁３０の角部において側壁３０を板厚方向に貫通するように配設されている。側壁３０の内周面に突出した締付具８０の先端部８２は、上口輪５２の外周面に当接可能になっている。
【００２５】
このような形態を採用することにより、提灯５０に提灯用天蓋１０を装着したままの状態でろうそく６０に火をつけることができる点、および、側壁３０の外表面にあらわれているつまみ部８４を回転操作することで、上口輪５２に対する締付具８０の先端部８２の当接状態が調整され、上口輪５２に対する提灯用天蓋１０の嵌着（装着）状態を調整することができるようになっている点で使い勝手が良好である。
本実施形態における提灯用天蓋１０によれば、貫通孔２２の開口面積が増えるが、貫通孔２２の平面中心位置が、天板２０の平面中心位置に対して偏心させているだけであっても、火袋５６の内部空間における鉛直方向の空気の対流を抑えることは十分可能である。
【００２６】
また、提灯用天蓋１０と上口輪５２とを嵌着させるための空間１２が円柱形状に形成されていることにより、上口輪５２を確実に嵌着させることができる。さらに締付具８０が配設されていることにより、上口輪５２の外径寸法に多少のばらつきがあったとしても、提灯用天蓋１０を確実に上口輪５２に嵌着（装着）させることもでき、上口輪５２から提灯用天蓋１０が脱落するおそれがない点において好都合である。
なお、第１実施形態における構成と同じ構成については第１実施形態で用いた符号と同じ符号を付すことでここでの詳細な説明を省略している。
【００２７】
以上に実施形態に基づいて今考案にかかる提灯用天蓋１０とこれを装着してなる提灯５０について詳細に説明をしたが、本考案は以上の実施形態に限定されるものではなく、考案の要旨を変更ない範囲において適宜構成を変更することができる。例えば、以上の実施形態における提灯用天蓋１０は、いずれも天板２０の平面形状が正八角形に形成されているが、天板２０の平面形状はこの形態に限定されるものではない。例えば、天板２０の平面視形状を正方形や正六角形等の他の多角形形状に形成することもできる。また、上口輪５２に嵌着可能であれば円形形状等の他の形態に形成してもよい。
さらにまた、以上に説明した提灯用天蓋１０の各実施形態における構成を適宜組み合わせた提灯用天蓋１０とこれを装着してなる提灯５０の形態を採用することも可能である。
【符号の説明】
【００２８】
１０  提灯用天蓋
１２  空間
２０  天板
２２  貫通孔
３０  側壁
３２  角部分
３４  切欠部
５０  提灯
５２  上口輪
５２Ａ  吊り具
５４  下口輪
５６  火袋
６０  ろうそく
７０  隙間
８０  締付具
８２  先端部
８４  つまみ部
ｈ  上口輪の高さ寸法
Ｈ  提灯用天蓋の側壁の立設高さ寸法
Ｌ  天蓋の平面中心点から貫通孔の平面中心点までの偏心距離
【図１】
0003185799.tif 000003
【図２】
0003185799.tif 000004
【図３】
0003185799.tif 000005
【図４】
0003185799.tif 000006
【図５】
0003185799.tif 000007
【図６】
0003185799.tif 000008
【図７】
0003185799.tif 000009
【図８】
0003185799.tif 000010
【図９】
0003185799.tif 000011
【図１０】
0003185799.tif 000012